(57)【要約】      （修正有）【課題】太陽電池パネルの放熱を促進する太陽電池パネル用の浮遊支持構造を提供する。【解決手段】太陽電池パネル用の浮遊支持構造は、太陽電池パネルを設置するように構成された本体を含み、本体の上面１２１は太陽電池パネルに隣接するように構成される。上面１２１には、空気を循環させるように構成された溝が設けられている。この浮遊支持構造では、本体の上面１２１に空気を循環させる溝が設けられているため、太陽電池パネルの放熱が促進され、太陽電池パネルの温度が高すぎることによる太陽電池パネルの発電能力の低下を防止することができる。【選択図】図２
0003213463.tif 000002
【実用新案登録請求の範囲】
【請求項１】
太陽電池パネルを取り付けるように構成された本体を備え、
前記本体の上面は、前記太陽電池パネルに隣接するように構成され、
前記上面には、空気を循環させるように構成された溝が設けられている太陽電池パネル用の浮遊支持構造。
【請求項２】
互いに交差する第１溝と第２溝とを含む少なくとも２つの前記溝が設けられている請求項１に記載の浮遊支持構造。
【請求項３】
前記本体には、前記太陽電池パネルを設置し固定するように構成されたガイドレールが固定されている請求項１に記載の浮遊支持構造。
【請求項４】
前記ガイドレールは、前記本体に埋め込まれたボルトによって前記本体に固定されている請求項３に記載の浮遊支持構造。
【請求項５】
前記ガイドレールには、前記太陽電池パネルを固定するための押圧ブロックが設けられている請求項３に記載の浮遊支持構造。
【請求項６】
前記上面は、第１端部および第２端部を有し、前記第１端部は前記第２端部よりも高い請求項３に記載の浮遊支持構造。
【請求項７】
前記上面の前記第１端部の角部には傾斜面が設けられ、
前記傾斜面は、前記上面と前記本体の外周面とを連結し、前記上面から前記外周面に向かう方向において下方に傾斜している請求項６に記載の浮遊支持構造。
【請求項８】
第１ガイドレールと第２ガイドレールとを含む少なくとも２つの前記ガイドレールを備え、
前記第１ガイドレールと前記第２ガイドレールとは互いに平行であり、
前記第１ガイドレールは、前記上面の前記第１端部に固定され、
前記第２ガイドレールは、前記上面の前記第２端部に固定されている請求項６に記載の浮遊支持構造。
【請求項９】
前記ガイドレールは、金属製ガイドレールである請求項３〜８の何れか一項に記載の浮遊支持構造。
【請求項１０】
前記本体の外周面には第１補強リブが設けられ、前記本体の前記上面には第２補強リブが設けられ、前記本体の下面には第３補強リブが設けられている請求項１に記載の浮遊支持構造。
【考案の詳細な説明】
【技術分野】
【０００１】
本出願は、機械工業の技術分野に関し、より詳細には、太陽電池パネル用の浮遊支持構造に関する。
【背景技術】
【０００２】
浮遊型太陽光発電所は、太陽電池パネルを水面に設置して発電することにより、土地資源を節約することができる。
【０００３】
図１を参照すると、太陽電池パネルは浮遊支持構造によって支持され、浮遊支持構造はブロック構造を有し、浮遊支持構造の上面の縁部に太陽電池パネルを取り付けるための溝が設けられる。
【考案の概要】
【考案が解決しようとする課題】
【０００４】
しかしながら、上記浮遊支持構造の上面は、適用時に太陽電池パネルに密着しており、それが太陽電池パネルの放熱に悪影響を及ぼし、太陽電池パネルの発電に悪影響を与える。
【０００５】
要約すると、当業者によって緊急に取り組まなければならない技術的問題は、太陽電池パネルの放熱を促進する太陽電池パネル用の浮遊支持構造を提供することである。
【課題を解決するための手段】
【０００６】
そこで、本願に係る太陽電池パネル用の浮遊支持構造は、浮遊支持構造の本体の上面に空気を循環させるための溝が設けられており、これにより太陽電池パネルの放熱が促進され、それによって太陽電池パネルの温度を低下させ、太陽電池パネルの発電能力を向上させることができる。
【０００７】
上記の目的を達成するために、本願による以下の技術的解決法が提供される。
【０００８】
太陽電池パネル用の浮遊支持構造は、太陽電池パネルを取り付けるように構成された本体を含み、前記本体の上面は太陽電池パネルに隣接するように構成され、上面には、空気を循環させるように構成された溝が設けられている。
【０００９】
好ましくは、浮遊支持構造において、互いに交差する第１溝と第２溝とを含む少なくとも２つの溝が設けられている。
【００１０】
好ましくは、浮遊支持構造において、前記本体には、前記太陽電池パネルを設置し固定するように構成されたガイドレールが固定されている。
【００１１】
好ましくは、浮遊支持構造において、前記ガイドレールは、前記本体に埋め込まれたボルトによって前記本体に固定されている。
【００１２】
好ましくは、浮遊支持構造において、前記ガイドレールには、前記太陽電池パネルを固定するための押圧ブロックが設けられている。
【００１３】
好ましくは、浮遊支持構造において、前記上面は、第１端部および第２端部を有し、第１端部は、第２端部よりも高い。
【００１４】
好ましくは、浮遊支持構造において、前記上面の前記第１端部の角部に傾斜面が設けられ、前記傾斜面は前記上面と前記本体の外周面とを連結し、前記傾斜面は前記上面から前記外周面に向かう方向において下方に傾斜している。
【００１５】
好ましくは、浮遊支持構造において、第１ガイドレールと第２ガイドレールとを含む少なくとも２つのガイドレールが設けられ、前記第１ガイドレールと前記第２ガイドレールとは互いに平行であり、前記第１ガイドレールは前記上面の前記第１端部に固定され、前記第２ガイドレールは前記上面の前記第２端部に固定されている。
【００１６】
好ましくは、浮遊支持構造において、ガイドレールは金属製ガイドレールである。
【００１７】
好ましくは、浮遊支持構造において、前記本体の外周面には第１補強リブが設けられ、前記本体の前記上面には第２補強リブが設けられ、前記本体の下面には第３補強リブが設けられている。
【００１８】
本願の太陽電池パネル用の浮遊支持構造は、太陽電池パネルを設置するように構成された本体を含み、前記本体の上面が太陽電池パネルに隣接するように構成され、前記上面には空気を循環させる溝が設けられている。
【００１９】
本願の浮遊支持構造では、本体の上面に空気を流通させる溝が設けられているため、太陽電池パネルの放熱が促進され、太陽電池パネルの温度が高すぎることによる太陽電池パネルの発電能力の低下を防止する。
【図面の簡単な説明】
【００２０】
以下、本考案の実施の形態について図面を参照して説明する。 明らかに、以下の説明における図面は、本出願の一例に過ぎず、当業者にとっては、創造的な努力なしに図面に基づいて他の図面を得ることができる。
【図１】従来技術における浮遊支持構造の構造を示す概略図である。
【図２】本願の一実施形態による浮遊支持構造および浮遊歩道の組立図である。
【図３】本願の一実施形態による浮遊支持構造、浮遊歩道、および太陽電池パネルの組立図である。
【図４】図３の構造を示す概略左側面図である。
【図５】図３の構造を示す概略的な右側面図である。
【図６】図３の構造の概略斜視図である。
【考案を実施するための形態】
【００２１】
本実施形態によれば、太陽電池パネル用の浮遊支持構造が提供される。浮遊支持構造の本体の上面には、空気を循環させる溝が設けられているので、太陽電池パネルの放熱が促進され、それにより太陽電池パネルの温度が低下し、太陽電池パネルの発電能力が向上する。
【００２２】
本実施形態における技術的解決策は、本明細書の実施形態における図面と併せて以下で明確にかつ完全に説明される。明らかに、記載された実施形態は、すべての実施形態ではなく、本願の実施形態の一部に過ぎない。本実施形態に基づいて、創造的な努力なしに当業者によってなされた他の実施形態のすべてが、本出願の保護の範囲に入る。
【００２３】
図２〜図６に示すように、提供される本実施形態に係る太陽電池パネルの浮遊支持構造は、太陽電池パネル３００を取り付けるための本体１０２を含み、本体１０２の上面１２１は太陽電池パネル３００に隣接するように構成され、上面１２１には空気を循環させる溝が設けられている。
【００２４】
本実施形態に係る浮遊支持構造では、本体１０２の上面１２１に、空気を循環させる溝が設けられているので、太陽電池パネル３００の放熱が促進され、太陽電池パネル３００の温度が高すぎるために発電能力が低下するのが防止される。
【００２５】
また、より良好な通気効果を得るために、第１溝１２１１と第２溝１２１２とを含む少なくとも２つの溝が設けられ、第１溝１２１１と第２溝１２１２とは互いに交差するように配置される。本実施形態に係る浮遊支持構造は、互いに交差する第１溝１２１１と第２溝１２１２とを含み、それらは自然風の方向が異なる場合でも、浮遊支持構造と太陽電池パネル３００との隙間で良好な換気を確保し、放熱効果を確保する。
【００２６】
第１溝１２１１は、断面円弧状の溝であり、上面１２１全体を折り曲げて形成されている。第２溝１２１２は、空気搬送方向が第１溝１２１１の空気搬送方向と直交するように配置されている。第２溝１２１２は、図２に示すように、上面１２１よりも低く、上面１２１の中央に位置している。
【００２７】
本体１０２には、太陽電池パネル３００を設置し固定するように構成されたガイドレール１０１が固定されている。
【００２８】
本実施形態に係る浮遊支持構造において、本体１０２には、太陽電池パネル３００を設置するように構成されたガイドレール１０１が設けられている。このため、風荷重による本体１０２の変形によって生じる作用力は、太陽電池パネル３００の代わりにガイドレール１０１に作用し、それにより太陽電池パネル３００の脱落、割れ、及び破損の危険性を低減することができる。
【００２９】
太陽電池パネル３００をガイドレール１０１に固定するために、ガイドレール１０１の端部には着脱可能な保持ブロックが設けられても良い。着脱可能な保持ブロックは、ガイドレール１０１に挿入されるように構成され、太陽電池パネル３００にしっかりと当接し、太陽電池パネル３００がガイドレール１０１から滑り落ちたり、ガイドレール１０１上で揺れたりすることを防止する。本実施形態の浮遊支持構造では、ガイドレール１０１に対する精度要求を低減し太陽電池パネル３００の設置を容易にするために、ガイドレール１０１には押圧ブロック１１１が設けられている。押圧ブロック１１１は、太陽電池パネル３００を固定するように構成されている。押圧ブロック１１１の保持溝は、ガイドレール１０１の延長線上に位置している。適用例では、太陽電池パネル３００をガイドレール１０１と押圧ブロック１１１の保持溝内にスライドさせ、太陽電池パネル３００が適切な位置に到達した後、固定部材を用いて押圧ブロック１１１の保持溝の２つの側壁に太陽電池パネル３００をしっかりと挟ませる。
【００３０】
図２〜図５に示すように、上記浮遊支持構造において、本体１０２の上面１２１は、第１端部および第２端部を有し、第１端部は第２端部よりも高く、第１端部および第２端部は上面１２１の両端である。本実施形態の浮遊支持構造では、本体１０２の上面１２１の両端部の高さが異なるため、浮遊支持構造上に太陽電池パネル３００を傾けた状態で設置することができ、太陽電池パネル３００の太陽光への露出を促進する。
【００３１】
上面１２１の第１端部から第２端部への方向は、第１溝１２１１の空気搬送方向に対して垂直である。
【００３２】
第１ガイドレール１０１と第２ガイドレール１０１とを含む２つのガイドレール１０１が設けられ、第１ガイドレール１０１と第２ガイドレール１０１は互いに平行である。当然、太陽電池パネル３００の形状によっては、２つのガイドレール１０１は平行でなくても良く、本実施形態では特に限定しない。一実施形態では、第１ガイドレール１０１は、上面１２１の第１端部および上面１２１の第２端部にそれぞれ固定された２つの端部を有し、第２ガイドレール１０１もまた、上面１２１の第１端部および上面１２１の第２端部にそれぞれ固定された２つの端部を有するように構成される。別の実施形態では、太陽電池パネル３００が自重の作用により押圧ブロック１１１から脱落しないようにして太陽電池パネル３００の組立の信頼性を向上させるために、図２に示すように、第１ガイドレール１０１は上面１２１の第１端部に固定され、第２ガイドレール１０１は上面１２１の第２端部に固定される。
【００３３】
好ましくは、上記浮遊支持構造において、上面１２１の第１端部の角部に傾斜面が設けられ、当該傾斜面が本体１０２の上面１２１と外周面１２２とを連結し、傾斜面は、図２に示すように、上面１２１から外周面１２２の方向において下方に傾斜している。この解決策によれば、上記傾斜面が設けられているので、本体がブロー成形された後の角部の肉厚が過大となるのを防止して、ブロー成形によって本体が形成された後に全身が均一な壁厚を有することを保証し、長期間の応力集中によって本体が破損する構造的故障のリスクを低減または防止し、浮遊支持構造全体の耐用年数の改善を促進する。
【００３４】
上記実施形態に係る浮遊支持構造において、ガイドレール１０１は、本体１０２に埋め込まれたボルトによって本体１０２に固定されている。ガイドレール１０１は、変形に耐える高強度で高耐性な金属製のガイドレール１０１として構成されることが好ましく、これにより浮遊支持構造が変形した場合に太陽電池パネル３００が損傷するのを防止することができる。
【００３５】
本体１０２の外周面１２２には第１補強リブ１２２１が設けられ、本体１０２の上面１２１には第２補強リブが設けられ、本体１０２の下面には第３補強リブが設けられている。本実施形態に係る浮遊支持構造の全ての表面には、浮遊支持構造体の表面強度の向上を促進し、浮遊支持構造体の収縮及び崩壊の問題防止を促進する補強リブが設けられている。
【００３６】
外周面１２２は、円筒状に囲まれた４つの面を有し、４つの面のそれぞれに第１補強リブ１２２１が設けられている。上面１２１および下面は、外周面１２２の両端でそれぞれシールされている。下面は、水面に直接接触するように構成されている。第２補強リブは、図２に示すように、第２溝１２１２の空気搬送方向に配置され、第２溝１２１２の両側に配置されている。
【００３７】
外周面１２２には、他の浮遊支持構造に接続するために、浮遊支持構造を浮遊歩道２００および／または他の浮遊支持構造に接続するように構成された接続ラグ１２２２が設けられている。
【００３８】
上記の実施形態は、漸進的に説明される。各実施形態は、主に、他の実施形態との相違点を説明することに重点を置いており、これらの実施形態のうち、同一または類似の部分については、これらの実施形態の間で参照することができる。
【００３９】
開示された実施形態の上記の説明に基づいて、当業者は本出願を実施することができ、または使用することができる。当業者であれば、これらの実施形態に多くの変更を加えることは明らかである。 本明細書で定義される一般原則は、本出願の精神または範囲から逸脱することなく、他の実施形態に適用されてもよい。したがって、本出願は、本明細書に示されるこれらの実施形態に限定されず、本明細書に開示される原理および新規な特徴と一致する最も広い範囲によって定義されるべきである。
【符号の説明】
【００４０】
１０１：ガイドレール、１１１：押圧ブロック、１０２：本体、１２１：上面、１２１１：第１溝、１２１２：第２溝、１２２２：接続ラグ、１２２：外周面、１２２１：第１補強リブ、２００：浮遊歩道、３００：太陽電池パネル。
【図１】
0003213463.tif 000003
【図２】
0003213463.tif 000004
【図３】
0003213463.tif 000005
【図４】
0003213463.tif 000006
【図５】
0003213463.tif 000007
【図６】
0003213463.tif 000008